(57)【要約】【課題】透過率を向上するとともに、表示品位の良好な画像を表示可能な液晶表示装置を提供することを目的とする。【解決手段】一対の基板間に液晶層を保持した構成の液晶表示装置であって、  異なる色を表示する青色画素ＰＸＢ及び緑色画素ＰＸＧを備えた表示エリアと、各色画素にそれぞれ配置された画素電極ＥＰと、画素電極ＥＰと同一基板上に配置され画素電極ＥＰと対向する対向電極ＥＴと、を備え、  青色画素ＰＸＢにおけるセルギャップｄｂは、緑色画素におけるセルギャップｄｇよりも小さいことを特徴とする。【選択図】      図７
2009093022.tif 000002
【特許請求の範囲】
【請求項１】
一対の基板間に液晶層を保持した構成の液晶表示装置であって、
異なる色を表示する第１色画素及び第２色画素を備えた表示エリアと、
前記第１色画素及び前記第２色画素にそれぞれ配置された画素電極と、
前記画素電極と同一基板上に配置され、前記画素電極と対向する対向電極と、
前記液晶層と接触するように配置され、前記液晶層に含まれる液晶分子の配向を規制するようにラビング処理された配向膜と、を備え、
前記第１色画素は、前記第２色画素より短波長の色を表示する色画素であって、
前記第１色画素におけるセルギャップは、前記第２色画素におけるセルギャップよりも小さいことを特徴とする液晶表示装置。
【請求項２】
前記画素電極は、前記配向膜のラビング方向に対して傾くように形成されたスリットを有し、
前記対向電極は、前記画素電極と層間絶縁膜を介して対向することを特徴とする請求項１に記載の液晶表示装置。
【請求項３】
一対の基板間に液晶層を保持した構成の液晶表示装置であって、
赤、緑、及び青の各色画素を備えた表示エリアと、
前記色画素毎に配置された画素電極と、
前記画素電極と同一基板上に配置され、前記画素電極と対向する対向電極と、
前記液晶層と接触するように配置され、前記液晶層に含まれる液晶分子の配向を規制するようにラビング処理された配向膜と、を備え、
前記青色画素におけるセルギャップは、前記緑色画素におけるセルギャップよりも小さいことを特徴とする液晶表示装置。
【請求項４】
前記液晶層における屈折率異方性をΔｎとし、前記青色画素における前記セルギャップをｄｂとし、前記緑色画素における前記セルギャップをｄｇとしたとき、
前記青色画素における前記液晶層のリタデーションδｂ＝Δｎ・ｄｂ、及び、前記緑色画素における前記液晶層のリタデーションδｇ＝Δｎ・ｄｇは、それぞれ、
３４０ｎｍ＜δｂ＜３８０ｎｍ、及び、４００ｎｍ＜δｇ＜４４０ｎｍ
の範囲に設定されたことを特徴とする請求項３に記載の液晶表示装置。
【請求項５】
前記赤色画素におけるセルギャップは、前記緑色画素における前記セルギャップと同等以下であることを特徴とする請求項３に記載の液晶表示装置。
【発明の詳細な説明】
【技術分野】
【０００１】
この発明は、液晶表示装置に係り、特に、液晶表示パネルを構成する一方の基板に画素電極及び対向電極を備えた構造の横電界駆動モードの液晶表示装置に関する。
【背景技術】
【０００２】
近年、平面表示装置が盛んに開発されており、中でも液晶表示装置は、軽量、薄型、低消費電力等の利点から特に注目を集めている。特に、各画素にスイッチング素子を組み込んだアクティブマトリクス型液晶表示装置においては、ＩＰＳ（Ｉｎ−Ｐｌａｎｅ  Ｓｗｉｔｃｈｉｎｇ）モードやＦＦＳ（ｆｒｉｎｇｅ  ｆｉｅｌｄ  Ｓｗｉｔｃｈｉｎｇ）モードなどの横電界（フリンジ電界も含む）を利用した構造が注目されている。（例えば、特許文献１及び特許文献２参照。）
このような横電界駆動モードの液晶表示装置は、アレイ基板において対向する画素電極と対向電極とを備え、アレイ基板の主面に対してほぼ平行な横電界を形成して液晶分子をスイッチングする。また、アレイ基板及び対向基板のそれぞれの外面には、互いに偏向軸方向が直交するように配置された偏光板が配置されている。このような偏光板の配置により、例えば電圧無印加時に黒色画面を表示し、映像信号に対応した電圧を画素電極に印加することにより徐々に透過率（変調率）が増加して白色画面を表示する。このような液晶表示装置では、液晶分子が基板主面とほぼ平行な平面内で回転するため、透過光の入射方向に対して偏光状態が大きく影響しないので、視野角依存性は小さく、広い視野角特性を有するといった特徴がある。
【特許文献１】特開２００５−１０７５３５号公報
【特許文献２】特開２００６−１３９２９５号公報
【発明の開示】
【発明が解決しようとする課題】
【０００３】
このような横電界駆動モードの液晶表示装置では、ＥＣＢモードやＴＮモードの液晶表示装置と比較して透過率が低い。このため、透過率を改善するとともに、白色画面を表示したときの色味付きを抑制するセル設計が必要となる。
【０００４】
この発明は、上述した問題点に鑑みなされたものであって、その目的は、透過率を向上するとともに、表示品位の良好な画像を表示可能な液晶表示装置を提供することにある。
【課題を解決するための手段】
【０００５】
この発明の第１の態様による液晶表示装置は、
一対の基板間に液晶層を保持した構成の液晶表示装置であって、
異なる色を表示する第１色画素及び第２色画素を備えた表示エリアと、
前記第１色画素及び前記第２色画素にそれぞれ配置された画素電極と、
前記画素電極と同一基板上に配置され、前記画素電極と対向する対向電極と、
前記液晶層と接触するように配置され、前記液晶層に含まれる液晶分子の配向を規制するようにラビング処理された配向膜と、を備え、
前記第１色画素は、前記第２色画素より短波長の色を表示する色画素であって、
前記第１色画素におけるセルギャップは、前記第２色画素におけるセルギャップよりも小さいことを特徴とする。
【０００６】
この発明の第２の態様による液晶表示装置は、
一対の基板間に液晶層を保持した構成の液晶表示装置であって、
赤、緑、及び青の各色画素を備えた表示エリアと、
前記色画素毎に配置された画素電極と、
前記画素電極と同一基板上に配置され、前記画素電極と対向する対向電極と、
前記液晶層と接触するように配置され、前記液晶層に含まれる液晶分子の配向を規制するようにラビング処理された配向膜と、を備え、
前記青色画素におけるセルギャップは、前記緑色画素におけるセルギャップよりも小さいことを特徴とする。
【発明の効果】
【０００７】
この発明によれば、透過率を向上するとともに、表示品位の良好な画像を表示可能な液晶表示装置を提供することができる。
【発明を実施するための最良の形態】
【０００８】
以下、この発明の一実施の形態に係る液晶表示装置について図面を参照して説明する。ここでは、一方の基板に画素電極及び対向電極を備え、これらの間に形成される横電界を利用して液晶分子をスイッチングする液晶モードとして、ＦＦＳモードの液晶表示装置を例に説明する。
【０００９】
図１乃至図３に示すように、液晶表示装置は、アクティブマトリクスタイプの液晶表示装置であって、液晶表示パネルＬＰＮを備えている。この液晶表示パネルＬＰＮは、アレイ基板（第１基板）ＡＲと、アレイ基板ＡＲと互いに対向して配置された対向基板（第２基板）ＣＴと、これらのアレイ基板ＡＲと対向基板ＣＴとの間に保持された液晶層ＬＱと、を備えて構成されている。このような液晶表示装置は、画像を表示する表示領域ＤＳＰを備えている。この表示領域ＤＳＰは、ｍ×ｎ個のマトリクス状に配置された複数の画素ＰＸによって構成されている。
【００１０】
アレイ基板ＡＲは、ガラス板や石英板などの光透過性を有する絶縁基板２０を用いて形成されている。すなわち、このアレイ基板ＡＲは、表示領域ＤＳＰにおいて、画素毎に配置されたｍ×ｎ個の画素電極ＥＰ、各画素ＰＸの行方向Ｈにそれぞれ延在したｎ本の走査線Ｙ（Ｙ１〜Ｙｎ）、各画素ＰＸの列方向Ｖにそれぞれ延在したｍ本の信号線Ｘ（Ｘ１〜Ｘｍ）、各画素ＰＸにおいて走査線Ｙと信号線Ｘとの交差部を含む領域に配置されたｍ×ｎ個のスイッチング素子Ｗ、画素電極ＥＰと層間絶縁膜ＩＬを介して対向配置された対向電極ＥＴなどを備えている。
【００１１】
アレイ基板ＡＲは、さらに、表示領域ＤＳＰの周辺の駆動回路領域ＤＣＴにおいて、ｎ本の走査線Ｙに接続された走査線ドライバＹＤを構成する少なくとも一部や、ｍ本の信号線Ｘに接続された信号線ドライバＸＤを構成する少なくとも一部などを備えている。走査線ドライバＹＤは、コントローラＣＮＴによる制御に基づいてｎ本の走査線Ｙに順次走査信号（駆動信号）を供給する。また、信号線ドライバＸＤは、コントローラＣＮＴによる制御に基づいて各行のスイッチング素子Ｗが走査信号によってオンするタイミングでｍ本の信号線Ｘに映像信号（駆動信号）を供給する。これにより、各行の画素電極ＥＰは、対応するスイッチング素子Ｗを介して供給される映像信号に応じた画素電位にそれぞれ設定される。
【００１２】
各スイッチング素子Ｗは、例えば、薄膜トランジスタによって構成されている。スイッチング素子Ｗの半導体層ＳＣは、例えば、ポリシリコンやアモルファスシリコンなどによって形成可能である。スイッチング素子Ｗのゲート電極ＷＧは、走査線Ｙに接続されている（あるいは走査線Ｙと一体的に形成されている）。スイッチング素子Ｗのソース電極ＷＳは、信号線Ｘに接続される（あるいは信号線Ｘと一体に形成される）とともに、半導体層ＳＣのソース領域にコンタクトしている。スイッチング素子Ｗのドレイン電極ＷＤは、コンタクトホールＣＨを介して画素電極ＥＰに接続されるとともに、半導体層ＳＣのドレイン領域にコンタクトしている。
【００１３】
対向電極ＥＴは、例えば各画素ＰＸにおいて島状に配置され、コモン電位のコモン配線ＣＯＭに電気的に接続されている。この対向電極ＥＴは、層間絶縁膜ＩＬによって覆われている。画素電極ＥＰは、層間絶縁膜ＩＬの上において対向電極ＥＴと対向するように配置されている。この画素電極ＥＰには、対向電極ＥＴと対向する複数のスリットＳＬが設けられている。これらの画素電極ＥＰ及び対向電極ＥＴは、例えばインジウム・ティン・オキサイド（ＩＴＯ）やインジウム・ジンク・オキサイド（ＩＺＯ）などの光透過性を有する導電材料によって形成されている。アレイ基板ＡＲの液晶層ＬＱに接触する面には、配向膜２２が配置されている。
【００１４】
一方、対向基板ＣＴは、ガラス板や石英板などの光透過性を有する絶縁基板３０を用いて形成されている。特に、カラー表示タイプの液晶表示装置においては、図３に示したように、対向基板ＣＴは、絶縁基板３０の内面すなわち液晶層ＬＱに対向する面に、各画素ＰＸを区画するブラックマトリクス３２、ブラックマトリクス３２によって囲まれた各画素に配置されたカラーフィルタ層３４などを備えている。また、対向基板ＣＴは、さらに、外部電界の影響を緩和するためのシールド電極や、カラーフィルタ層３４の表面の凹凸を平坦化するように比較的厚い膜厚で配置されたオーバコート層などを備えて構成してもよい。
【００１５】
ブラックマトリクス３２は、絶縁基板３０上において、アレイ基板ＡＲに設けられた走査線Ｙや信号線Ｘ、さらにはスイッチング素子Ｗなどの配線部に対向するように配置されている。カラーフィルタ層３４は、絶縁基板３０上に配置され、互いに異なる複数の色、例えば赤色、青色、緑色といった３原色にそれぞれ着色された着色樹脂によって形成されている。赤色着色樹脂、青色着色樹脂、及び緑色着色樹脂は、それぞれ赤色画素、青色画素、及び緑色画素に対応して配置されている。対向基板ＣＴの液晶層ＬＱに接触する面には、配向膜３６が配置されている。
【００１６】
このような対向基板ＣＴと上述したようなアレイ基板ＡＲとをそれぞれの配向膜２２及び配向膜３６が対向するように配置したとき、両者の間に配置された図示しないスペーサにより、所定のギャップが形成される。液晶層ＬＱは、これらのアレイ基板ＡＲの配向膜２２と対向基板ＣＴの配向膜３６との間に形成されたギャップに封入された液晶分子ＬＭを含む液晶組成物によって構成されている。
【００１７】
液晶分子ＬＭは、配向膜２２及び配向膜３６による規制力によって配向されている。すなわち、画素電極ＥＰの電位と対向電極ＥＴの電位との間に電位差が形成されていない（つまり、画素電極ＥＰと対向電極ＥＴとの間に電界が形成されていない）無電界時には、液晶分子ＬＭは、その長軸Ｄが配向膜２２及び配向膜３６のラビング方向と平行な方位を向くように配向されている。
【００１８】
また、この液晶表示装置は、液晶表示パネルＬＰＮの一方の外面（すなわちアレイ基板ＡＲの液晶層ＬＱと接する面とは反対の外面）に設けられた光学素子ＯＤ１を備え、また、液晶表示パネルＬＰＮの他方の外面（すなわち対向基板ＣＴの液晶層ＬＱと接する面とは反対の外面）に設けられた光学素子ＯＤ２を備えている。これらの光学素子ＯＤ１及びＯＤ２は、偏光板を含み、例えば、無電界時において、液晶表示パネルＬＰＮの透過率が最低となる（つまり黒色画面を表示する）ノーマリーブラックモードを実現している。
【００１９】
さらに、液晶表示装置は、液晶表示パネルＬＰＮに対してアレイ基板ＡＲ側に配置されたバックライトユニットＢＬを有している。
【００２０】
このような液晶表示装置において、図２に示すように、画素電極ＥＰの電位と対向電極ＥＴの電位との間に電位差が形成された場合（つまり、画素電極ＥＰにコモン電位とは異なる電位の電圧が印加された電圧印加時）には、画素電極ＥＰと対向電極ＥＴとの間に電界Ｅが形成される。このとき、液晶分子ＬＭは、その長軸Ｄがラビング方向から電界Ｅと平行な方位に配向するように駆動される。このように、液晶分子ＬＭの長軸Ｄの方位がラビング方向から変化すると、液晶層ＬＱを透過する光に対する変調率が変化する。このため、バックライトユニットＢＬから液晶表示パネルＬＰＮを透過したバックライト光の一部は、第２光学素子ＯＤ２を透過し、白色画面を表示する。つまり、液晶表示パネルＬＰＮの透過率（変調率）は、電界Ｅの大きさに依存して変化する。横電界を利用した液晶モードでは、このようにして選択的にバックライト光を透過し、画像を表示する。
【００２１】
特に、この実施の形態においては、画素電極ＥＰに形成されたスリットＳＬは、図２に示すように、概ね行方向Ｈに沿って延在しており、しかも、行方向Ｈに対して鋭角に交差するように形成されている。スリットＳＬの長軸Ｌは、ラビング方向（ここでは行方向Ｈと平行な方向）に対して５°〜１０°程度の角度θをなすように傾いている。また、複数のスリットＳＬは、列方向Ｖに並んでいる。複数のスリットＳＬは、互いに平行に配置されている。
【００２２】
ところで、液晶表示装置においては、液晶層ＬＱのリタデーションδに依存して液晶表示パネルＬＰＮの透過率Ｔが変化する。すなわち、液晶層ＬＱにおける屈折率異方性をΔｎとし、液晶層ＬＱの厚み（つまりセルギャップ）をｄとしたとき、リタデーションδは、δ＝Δｎ・ｄで与えられる。例えば、液晶表示装置の輝度に最も関係する緑色画素の波長５５０ｎｍでの液晶表示パネルＬＰＮの透過率Ｔは、図４に示すように、リタデーションδに依存して変化する。図４に示した例は、液晶層ＬＱのΔｎが０．１のときに相当しており、透過率Ｔは、セルギャップｄに依存して変化していることがわかる。なお、このシミュレーションでは、スリットＳＬの長軸Ｌとラビング方向とのなす角度θは７°に設定した。
【００２３】
図４に示した結果から、波長５５０ｎｍの光については、液晶層ＬＱのリタデーションδを４２０ｎｍに設定する（つまり、Δｎ＝０．１の場合、セルギャップｄを４．２μｍに設定する）ことにより、液晶表示パネルＬＰＮの透過率Ｔが最大（約８４％）となることがわかる。
【００２４】
このような結果に基づき、波長５５０ｎｍの光に対して最大透過率が得られるようにセルギャップｄを設定すると、視感度の観点から最も明るい液晶表示パネルＬＰＮが得られるが、他の色画素の波長、つまり青色画素の波長４６０ｎｍ及び赤色画素の波長６２０ｎｍの光に対しては必ずしも最大透過率が得られるわけではない。このため、リタデーションδを４２０ｎｍに設定した液晶表示パネルＬＰＮにおいては、その透過率Ｔは、図５に示すように、波長に依存して変化する。
【００２５】
このようなセル設計（Δｎ＝０．１、ｄ＝４．２μｍ、θ＝７°）では、赤色波長（６２０ｎｍ）において、緑色波長（５５０ｎｍ）と略同等の透過率（約８４％）が得られる一方で、青色波長（４６０ｎｍ）においては、緑色波長及び赤色波長に比較して極めて低い透過率（約７５％）となる。このため、白色画面を表示した際に、黄色味〜赤味の方向に色度がシフトしてしまう。したがって、透過率を犠牲にすることなく表示品位の改善が望まれている。
【００２６】
そこで、発明者は、まず、各色画素について、リタデーションδに対する液晶表示パネルＬＰＮの透過率Ｔの関係を検討した。なお、以下に説明するシミュレーションでは、スリットＳＬの長軸Ｌとラビング方向とのなす角度θは７°に設定し、また、Δｎは一定値（０．１）とした。
【００２７】
青色画素の波長４６０ｎｍでの液晶表示パネルＬＰＮの透過率Ｔは、図６の「Ｂ」で示すように、リタデーションδに依存して変化する。すなわち、波長４６０ｎｍの光については、リタデーションδを３４０ｎｍより大きく、３８０ｎｍより小さい範囲に設定することにより、比較的高い透過率を得られることがわかった。特に、リタデーションδを約３６０ｎｍに設定する（つまり、Δｎ＝０．１の場合、セルギャップｄを３．６μｍに設定する）ことにより、液晶表示パネルＬＰＮの最大透過率（約８１％）が得られることがわかった。
【００２８】
緑色画素の波長５５０ｎｍでの液晶表示パネルＬＰＮの透過率Ｔは、図６の「Ｇ」で示すように、リタデーションδに依存して変化する。すなわち、波長５５０ｎｍの光については、リタデーションδを４００ｎｍより大きく、４４０ｎｍより小さい範囲に設定することにより、比較的高い透過率を得られることがわかった。特に、リタデーションδを約４２０ｎｍに設定する（つまり、Δｎ＝０．１の場合、セルギャップｄを４．２μｍに設定する）ことにより、液晶表示パネルＬＰＮの最大透過率（約８４％）が得られることがわかった。
【００２９】
赤色画素の波長６２０ｎｍでの液晶表示パネルＬＰＮの透過率Ｔは、図６の「Ｒ」で示すように、リタデーションδに依存して変化する。すなわち、波長６２０ｎｍの光については、リタデーションδを４６０ｎｍより大きく、４８０ｎｍより小さい範囲に設定することにより、比較的高い透過率を得られることがわかった。特に、リタデーションδを約４７０ｎｍに設定する（つまり、Δｎ＝０．１の場合、セルギャップｄを４．７μｍに設定する）ことにより、液晶表示パネルＬＰＮの最大透過率（約８６％）が得られることがわかった。しかしながら、先に説明したように、白色画面を表示した際に黄色味〜赤味の方向に色度がシフトしてしまうことに鑑みて、赤色画素については、緑色画素の透過率を大幅に上回らないことが望ましい。
【００３０】
なお、ここで説明した各色画素についてのリタデーションδに対する液晶表示パネルＬＰＮの透過率Ｔの関係は、一例であるが、Δｎを他の一定値（０．１以外の値）としてセルギャップｄを変数とした場合や、セルギャップｄを一定値としてΔｎを変数とした場合についても同様の傾向が確認され、最大透過率は若干変動するものの、比較的高い透過率Ｔを得るためのリタデーションδの範囲は略同一であった。また、なす角度θを４°、１０°、１５°にそれぞれ設定した場合についても、リタデーションδに対する液晶表示パネルＬＰＮの透過率Ｔの関係は同様の傾向であることが確認された。つまり、図６は、一例であるものの、各色画素について高い透過率Ｔを得るためのリタデーションδの最適範囲を規定するためには十分なシミュレーション結果である。
【００３１】
図６に示した結果に基づくと、各色画素について液晶表示パネルＬＰＮの透過率Ｔを比較すると、短波長の色を表示する色画素ほど小さいリタデーションδで最大透過率が得られることがわかる。また、各色画素について液晶表示パネルＬＰＮの最大透過率を比較すると、短波長の色を表示する色画素ほど液晶表示パネルＬＰＮの最大透過率が小さいことがわかる。
【００３２】
このため、発明者は、透過率を犠牲にすることなく、白色画面を表示した際の色味付きを改善するためには、各色画素での透過率のバランスを考慮して最適なリタデーションδの条件を選択する必要があることを見出した。すなわち、図６に示した結果に基づき、短波長の色を表示する第１色画素（この実施の形態では青色画素）については、第１色画素より長波長の色を表示する第２色画素（この実施の形態では緑色画素）よりも小さなリタデーションδの条件を選択する（つまり、第１色画素と第２色画素とで液晶層ＬＱは共通であるためΔｎが同一であり、第１色画素については第２色画素よりもセルギャップｄが小さい条件を選択する）。すなわち、第１色画素におけるセルギャップをｄ１とし、第２色画素におけるセルギャップをｄ２としたとき、ｄ１＜ｄ２の関係を満たすようにセル設計する。
【００３３】
これにより、第１色画素における液晶表示パネルＬＰＮの透過率Ｔを向上することが可能となる。また、短波長の光の透過率Ｔを向上することにより、白色画面を表示した際の黄色味〜赤味の方向への色度のシフトを抑制することが可能となる。
【００３４】
特に、図６に示した結果に基づくと、青色画素と緑色画素とで液晶層ＬＱは共通であるためΔｎが同一であり、青色画素における液晶層ＬＱのセルギャップをｄｂとし、緑色画素における液晶層ＬＱのセルギャップをｄｇとしたとき、ｄｂ＜ｄｇの関係を満たすようにセル設計することが望ましい。
【００３５】
このとき、青色画素におけるリタデーションδｂ＝Δｎ・ｄｂ、及び、緑色画素におけるリタデーションδｇ＝Δｎ・ｄｇは、それぞれ、
３４０ｎｍ＜δｂ＜３８０ｎｍ、及び、４００ｎｍ＜δｇ＜４４０ｎｍ
の範囲に設定されることが望ましい。換言すると、Δｎは青色画素と緑色画素とで同一であるため、各色画素について、上記範囲のリタデーションが得られるようにセルギャップを設定することが望ましい。
【００３６】
このような範囲のリタデーションにそれぞれ設定された青色画素及び緑色画素によれば、ともに高い透過率Ｔ（略最大透過率）が得られる。このため、液晶表示パネルＬＰＮの透過率を向上しつつ、白色画面の色味付きを抑制することが可能となる。
【００３７】
一方で、赤色画素については、先に説明したように、緑色画素の透過率を大幅に上回らないことが望ましい。図６に示した結果に基づき、緑色画素において略最大透過率が得られるときの条件、すなわちリタデーションδが約４２０ｎｍのときに、赤色画素においても緑色画素と同等の透過率が得られることがわかっている。そして、赤色画素において、リタデーションδが４２０ｎｍ以下の場合には緑色画素よりも低い透過率となる。
【００３８】
このため、赤色画素においては、緑色画素におけるリタデーションδｇと同等以下のリタデーションが得られるようにセルギャップを設定することが望ましい。すなわち、赤色画素における液晶層ＬＱのセルギャップをｄｒとしたとき、ｄｒ≦ｄｇの関係を満たすようにセル設計することが望ましい。
【００３９】
上述した構成により、透過率を犠牲にすることなく、色味付きを抑制することが可能となり、表示品位の良好な画像を表示することが可能となる。
【００４０】
《実施例》
図７に示すように、実施例に係る液晶表示パネルＬＰＮは、青色画素ＰＸＢ、緑色画素ＰＸＧ、及び、赤色画素ＰＸＲを備えている。各色画素は、それぞれ、画素電極ＥＰ、画素電極ＥＰと同一基板上に配置され層間絶縁膜ＩＬを介して画素電極ＥＰと対向する対向電極ＥＴなどを備えて構成されている。画素電極ＥＰは、スリットＳＬを有しており、スリットＳＬの長軸とラビング方向とのなす角度θは７°に設定されている。
【００４１】
液晶層ＬＱは、その屈折率異方性Δｎが０．１となる材料によって形成されている。各色画素のセルギャップは、アレイ基板ＡＲ側の配向膜２２と対向基板ＣＴ側の配向膜３６との間の液晶層ＬＱの厚みに相当する。
【００４２】
青色画素ＰＸＢのセルギャップｄｂは、３．６μｍに設定されている。すなわち、青色画素ＰＸＢにおいてリタデーションδｂは、３６０ｎｍに設定されている。緑色画素ＰＸＧのセルギャップｄｇは、４．２μｍに設定されている。すなわち、緑色画素ＰＸＧにおいてリタデーションδｇは、４２０ｎｍに設定されている。赤色画素ＰＸＲのセルギャップｄｒは、４．２μｍに設定されている。すなわち、赤色画素ＰＸＲにおいてリタデーションδｒは、４２０ｎｍに設定されている。
【００４３】
このようなセルギャップは、例えば色画素毎に配置されるカラーフィルタ層の厚みによって制御可能である。すなわち、青色画素ＰＸＢは青色着色樹脂３４Ｂを備えており、同様に、緑色画素ＰＸＧ及び赤色画素ＰＸＲはそれぞれ緑色着色樹脂３４Ｇ及び赤色着色樹脂３４Ｒを備えている。青色着色樹脂３４Ｂは緑色着色樹脂３４Ｇ及び赤色着色樹脂３４Ｒよりも厚く形成されており、また、緑色着色樹脂３４Ｇ及び赤色着色樹脂３４Ｒは同等の厚みに形成されている。
【００４４】
このような実施例において、白色画面を表示したときには、図８に示すｘｙ色度図において、ｘ＝０．３３４５、ｙ＝０．３４１４となり、基準となる白色の色度座標に近づけることができた。すなわち、白色画面の色味付きを抑制することができ、表示品位良好な画像を表示できることが確認された。
【００４５】
《比較例》
比較例に係る液晶表示パネルでは、すべての色画素のセルギャップを４．２μｍに設定した以外、図７に示した実施例と同一構成とした。このような比較例において、白色画面を表示したときには、図８に示すｘｙ色度図において、ｘ＝０．３４２０、ｙ＝０．３４８０となり、実施例よりも白色画面の色味付きがあることが確認された。
【００４６】
以上説明したように、この実施の形態の液晶表示装置によれば、透過率を向上することができ、表示品位の良好な画像、特に白色画面を表示する場合に輝度の高い画像を表示することが可能となる。
【００４７】
なお、この発明は、上記各実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００４８】
なお、実施例において、セルギャップの厚みをカラーフィルタ層の膜厚によって制御する例を説明したが、他の１以上の層の膜厚によって制御しても良い。また、実施例においては、対向基板側にカラーフィルタ層を配置した例を説明したが、アレイ基板側にカラーフィルタ層を配置しても良い。
【図面の簡単な説明】
【００４９】
【図１】図１は、この発明の一実施の形態に係る横電界を利用した液晶モードの液晶表示装置の構成を概略的に示す図である。
【図２】図２は、本実施形態における１画素分の画素電極及び対向電極の構造を概略的に示す平面図である。
【図３】図３は、図２に示したアレイ基板をＩＩＩ−ＩＩＩ線で切断したときの液晶表示パネルの断面構造を概略的に示す図である。
【図４】図４は、緑色画素の波長５５０ｎｍでの液晶表示パネルの透過率のリタデーション依存性を説明するための図である。
【図５】図５は、リタデーションを４２０ｎｍに設定したときの液晶表示パネルの透過率の波長依存性を説明するための図である。
【図６】図６は、各色画素について、リタデーションに対する液晶表示パネルの透過率の関係を示す図である。
【図７】図７は、実施例にかかる液晶表示パネルの構成を概略的に示す断面図である。
【図８】図８は、図７に示した実施例及び比較例の液晶標示パネルのそれぞれについて、白色画面を表示したときの色度座標を示す図である。
【符号の説明】
【００５０】
ＬＰＮ…液晶表示パネル
ＡＲ…アレイ基板
ＣＴ…対向基板
ＬＱ…液晶層
ＰＸ…画素
ＥＰ…画素電極
ＥＴ…対向電極
ＣＯＭ…コモン配線
ＳＬ…スリット
３４…カラーフィルタ層
【図１】
2009093022.tif 000003
【図２】
2009093022.tif 000004
【図３】
2009093022.tif 000005
【図４】
2009093022.tif 000006
【図５】
2009093022.tif 000007
【図６】
2009093022.tif 000008
【図７】
2009093022.tif 000009
【図８】
2009093022.tif 000010